(57)【特許請求の範囲】
【請求項１】
容器本体の上部の開口部の周囲にフランジ部を設け、このフランジ部の開口部の後部側の辺に沿った部位に該辺に沿って細長くなった上下に貫通する挿通孔を形成し、細長い挿通孔の上記開口部の後部側の辺に沿った対向する長辺のうち一方の長辺の中央部から細長い挿通孔内に向けて中央ガイド突部を設け、中央ガイド突部の両側をそれぞれ第１主ガイド部、第２主ガイド部として第１主ガイド部、第２主ガイド部により大蓋用操作杆の両側の被ガイド部を上下方向にガイドするための大蓋用操作杆側ガイド部を構成し、上記細長い挿通孔の対向する両短辺にそれぞれ第１副ガイド部、第２副ガイド部を設けて対向する上記第１主ガイド部と第１副ガイド部の組みと対向する上記第２主ガイド部と第２副ガイド部の組みとで２つの小蓋用操作杆の両側に設けた被ガイド部をガイドするための２組の小蓋用操作杆側ガイド部を構成して成ることを特徴とするペダル開閉式ごみ容器。
【請求項２】
容器本体の上部の開口部の周囲にフランジ部を設け、このフランジ部の開口部の後部側の辺に沿った部位に該辺に沿って細長くなった上下に貫通する挿通孔を形成し、細長い挿通孔の上記開口部の後部側の辺に沿った対向する長辺のうち一方の長辺の中央部の両側にそれぞれリブを突設し、対向する一対のリブをそれぞれ第１主ガイド部、第２主ガイド部として第１主ガイド部、第２主ガイド部により大蓋用操作杆の両側の被ガイド部を上下方向にガイドするための大蓋用操作杆側ガイド部を構成し、上記細長い挿通孔の対向する両短辺にそれぞれ第１副ガイド部、第２副ガイド部を設けて対向する上記第１主ガイド部と一方のリブよりなる第１副ガイド部の組みと対向する上記第２主ガイド部と他方のリブよりなる第２副ガイド部の組みとで２つの小蓋用操作杆の両側に設けた被ガイド部をガイドするための２組の小蓋用操作杆側ガイド部を構成して成ることを特徴とするペダル開閉式ごみ容器。
【発明の詳細な説明】
【０００１】
【発明の属する技術分野】
本発明は、ペダル開閉式ごみ容器に関するものである。
【０００２】
【従来の技術】
上部に開口部を有する容器本体に開口部を開閉するための蓋を取付け、ペダル操作により上下方向に移動して蓋を開く操作をするための蓋用操作杆を設け、この蓋用操作杆の上下方向の移動をガイドするためのガイド部を容器本体に設け、ペダルの操作により蓋用操作杆をスムーズに上下方向にガイドしながら移動して蓋を開く操作を行うようにしたペダル開閉式ごみ容器が知られている。すなわち、容器本体の下面部の設置面より上方位置において回動部材をシーソ回動自在に取付け、この回動部材の前端部にペダルを取付けると共に後端部に操作杆の下端部を回動自在に取付け、操作杆の上端部を蓋の端部に係止し、上記操作杆の上下移動のガイドをするために容器本体にガイド部を設け、ペダルを足で踏むことで回動部材をシーソ回動し、操作杆をガイド部によりガイドしながら上下移動させて蓋の開閉操作を行うようになっているペダル開閉式ごみ容器が例えば特開平１１−２２７８１３号公報などにより従来から知られている。この蓋付きごみ容器としては容器本体の開口部を１枚の蓋（大蓋）で覆うようにしたものが一般的であるが、近年、ごみの分別回収などのために、ごみ容器本体内を２つに仕切り、開口部に２枚の蓋（小蓋）を開閉自在に取付けた蓋付きごみ容器が提供されている。
【０００３】
ところで、上記のような１枚の大蓋を取付けたごみ容器には１つの大蓋用操作杆を設けるので、１つの大蓋用操作杆をガイドするための専用のガイドを設け、また、２つの小蓋を取付けたごみ容器には１つの小蓋用操作杆を設けるので、２つの小蓋用操作杆をガイドするための専用のガイド設けるようにしており、それぞれ容器本体に設けるガイド部の構造が異なっており、前者のごみ容器は１つの大蓋用操作杆をガイドする専用の構造となっており、また、後者のごみ容器は２つの小蓋用操作杆をガイドする専用の構造となっていた。このため、従来にあっては、容器本体として２種類が必要であり、製造コスト、保管や流通コストが高くなるという問題がある。
【０００４】
【発明が解決しようとする課題】
本発明は上記の点に鑑みてなされたものであり、簡単な構成で共通の容器本体に１つの大蓋用ガイド部材、２つの小蓋用ガイド部材を選択的に上下方向にガイドするように取付けることが可能で、容器本体を１つの蓋付きごみ容器や２つの蓋付きごみ容器の容器本体として共用化でき、製造コスト、保管や流通コスト低減できるペダル開閉式ごみ容器を提供することを課題とするものである。
【０００５】
【課題を解決するための手段】
上記課題を解決するために本発明に係るペダル開閉式ごみ容器は、容器本体２の上部の開口部１の周囲にフランジ部１４を設け、このフランジ部１４の開口部１の後部側の辺に沿った部位に該辺に沿って細長くなった上下に貫通する挿通孔１５を形成し、細長い挿通孔１５の上記開口部１の後部側の辺に沿った対向する長辺のうち一方の長辺の中央部から細長い挿通孔１５内に向けて中央ガイド突部４１を設け、中央ガイド突部４１の両側をそれぞれ第１主ガイド部４２、第２主ガイド部４３として第１主ガイド部４２、第２主ガイド部４３により大蓋用操作杆４４の両側の被ガイド部４５を上下方向にガイドするための大蓋用操作杆側ガイド部４６を構成し、上記細長い挿通孔１５の対向する両短辺にそれぞれ第１副ガイド部４７、第２副ガイド部４８を設けて対向する上記第１主ガイド部４２と第１副ガイド部４７の組みと対向する上記第２主ガイド部４３と第２副ガイド部４８の組みとで２つの小蓋用操作杆４９の両側に設けた被ガイド部４５をガイドするための２組の小蓋用操作杆側ガイド部５０を構成して成ることを特徴とするものである。
このような構成とすることで、容器本体２に１つの大蓋用操作杆４４を取付けて１枚の大蓋３を開閉する構造とする場合には、挿通孔１５の中央部に１つの大蓋用操作杆４４を挿通して１つの大蓋用操作杆４４の両側に設けた被ガイド部４５を第１主ガイド部４２と第２主ガイド部４３とで構成する大蓋用操作杆側ガイド部４６によりガイドさせるようにし、また、２つの大蓋用操作杆４９を上下方向にガイドするように取付けるには、挿通孔１５の両側にそれぞれ１つずつ小蓋用操作杆４９を挿通して一方の小蓋用操作杆４９の両側に設けた被ガイド部４５を第１主ガイド部４２と第１副ガイド部４７とで構成する一方の小蓋用操作杆側ガイド部５０によりガイドさせるようにし、他方の小蓋用操作杆４９の両側に設けた被ガイド部４５を第２主ガイド部４３と第２副ガイド部４８とで構成する他方の小蓋用操作杆側ガイド部５０によりガイドさせるようにすればよいものであり、これにより共通の容器本体２に１つの大蓋用操作杆４４を上下方向にガイドできるように取付けたり、２つの小蓋用操作杆４９を上下方向にガイドできるように取付けたりというように、選択的に取付けることが可能となり、また、大蓋用操作杆ガイド部４６を構成する第１主ガイド部４２、第２主ガイド部４３をそれぞれ小蓋用操作杆ガイド部５０の一構成部材として兼用化できて構造が簡略化できるものである。
【０００６】
また、容器本体２の上部の開口部１の周囲にフランジ部１４を設け、このフランジ部１４の開口部１の後部側の辺に沿った部位に該辺に沿って細長くなった上下に貫通する挿通孔１５を形成し、細長い挿通孔１５の上記開口部１の後部側の辺に沿った対向する長辺のうち一方の長辺の中央部の両側にそれぞれリブ５９を突設し、対向する一対のリブ５９をそれぞれ第１主ガイド部４２、第２主ガイド部４３として第１主ガイド部４２、第２主ガイド部４３により大蓋用操作杆４４の両側の被ガイド部４５を上下方向にガイドするための大蓋用操作杆側ガイド部４６を構成し、上記細長い挿通孔１５の対向する両短辺にそれぞれ第１副ガイド部４７、第２副ガイド部４８を設けて対向する上記第１主ガイド部４２と一方のリブよりなる第１副ガイド部４７の組みと対向する上記第２主ガイド部４３と他方のリブよりなる第２副ガイド部４８の組みとで２つの小蓋用操作杆４９の両側に設けた被ガイド部４５をガイドするための２組の小蓋用操作杆側ガイド部５０を構成して成ることを特徴とすることも好ましい。
このような構成とすることで、容器本体２に１つの大蓋用操作杆４４を取付けて１枚の大蓋３を開閉する構造とする場合には、挿通孔１５の中央部の一対のリブ５９間に１つの大蓋用操作杆４４を挿通して１つの大蓋用操作杆４４の両側に設けた被ガイド部４５を一対のリブ５９よりなる第１主ガイド部４２と第２主ガイド部４３とで構成する大蓋用操作杆側ガイド部４６によりガイドさせるようにし、また、２つの大蓋用操作杆４９を上下方向にガイドするように取付けるには、挿通孔１５の両側にそれぞれ１つずつ小蓋用操作杆４９を挿通して一方の小蓋用操作杆４９の両側に設けた被ガイド部４５を第１主ガイド部４２と第１副ガイド部４７とで構成する一方の小蓋用操作杆側ガイド部５０によりガイドさせるようにし、他方の小蓋用操作杆４９の両側に設けた被ガイド部４５を第２主ガイド部４３と第２副ガイド部４８とで構成する他方の小蓋用操作杆側ガイド部５０によりガイドさせるようにすればよいものであり、これにより共通の容器本体２に１つの大蓋用操作杆４４を上下方向にガイドできるように取付けたり、２つの小蓋用操作杆４９を上下方向にガイドできるように取付けたりというように、選択的に取付けることが可能となり、また、大蓋用操作杆ガイド部４６を構成する第１主ガイド部４２、第２主ガイド部４３をそれぞれ小蓋用操作杆ガイド部５０の一構成部材として兼用化できて構造が簡略化できるものである。
【０００７】
【発明の実施の形態】
以下、本発明を添付図面に示す実施形態に基づいて説明する。
【０００８】
図１３乃至図１５に容器本体２が示してある。容器本体２は上部に開口部１が形成してあり、この容器本体２の開口部１の周囲には外側方に向けてフランジ部１４が設けてあり、開口部１の一端部（図に示す実施形態では開口部１の１辺）における上記フランジ部１４部分には上下に貫通した挿通孔１５が設けてあり、この挿通孔１５を設けたフランジ部１４には更に外側方に向けて一対の軸支用突出部１６が突出してある。
【０００９】
一対の軸支用突出部１６の両側にはそれぞれ軸部１７が一体に突出しており、一方の軸支用突出部１６の外側の軸部１７が第１の主軸支部１０となり、他方の軸支用突出部１６の外側の軸部１７が第２の主軸支部１１となっている。この一定間隔を隔てて配設された第１の主軸支部１０と第２の主軸支部１１とで後述の大蓋３の一端部に設けた一対の大蓋側被軸支部６を回動自在に軸支するための大蓋用軸支部７が構成してある。
【００１０】
また、一方の軸支用突出部１６の内側の軸部１７が第１の副軸支部１２となり、他方の軸支用突出部１６の内側の軸部１７が第２の副軸支部１３となっている。そして、上記一方の軸支用突出部１６の外側の軸部１７よりなる第１の主軸支部１０と該一方の軸支用突出部１６の内側の軸部１７よりなる第１の副軸支部１２との組みで後述の２枚の小蓋４のうち一方の小蓋４の一端部に設けた一対の小蓋側被軸支部８を回動自在に軸支するための小蓋用軸支部９が構成してあり、また、他方の軸支用突出部１６の外側の軸部１７よりなる第２の主軸支部１１と該他方の軸支用突出部１６の内側の軸部１７よりなる第２の副軸支部１３との組みで後述の２枚の小蓋４のうち他方の小蓋４の一端部に設けた一対の小蓋側被軸支部８を回動自在に軸支するための小蓋用軸支部９が構成してある。
【００１１】
大蓋３は図１６に示すようなもので、１枚で容器本体２の開口部１を閉じることができる大きさとなっている。大蓋３の一端部には突部１８が突設してあり、突部１８には一対のＵ状溝部６ａよりなる大蓋側被軸支部６が形成してある。一対のＵ状溝部６ａは少なくとも対向面側に開口し且つ突部１８の突出方向に向けて開口しており、Ｕ状溝部６ａの突部１８の突出方向の開口付近にストッパ用凸部６ｂが設けてある。また、大蓋３の突部１８の下面側には一対のＵ状溝部６ａ間の中間部分に操作用腕部１９が突設してある。
【００１２】
小蓋４は図１７に示すようなもので、上記大蓋３を２分割した形状をしていて２枚の小蓋４で容器本体２の開口部１を閉じることができるようになっており、各小蓋４の一端部には突部２０が突設してあり、突部２０には一対のＵ状溝部８ａよりなる小蓋側被軸支部８が形成してある。一対のＵ状溝部８ａは少なくとも対向面側に開口し且つ突部２０の突出方向に向けて開口しており、Ｕ状溝部８ａの突部２０の突出方向の開口付近にストッパ用凸部８ｂが設けてある。また、小蓋４の突部２０の下面側には一対のＵ状溝部８ａ間の中間部分に操作用腕部２１が突設してある。
【００１３】
容器本体２の上部の開口部１には１枚の大蓋３又は２枚の小蓋４を選択的に取付け自在となっている。図３乃至図６は１枚の大蓋３を取付けた状態を示し、このように１枚の大蓋３を取付ける場合には、第１の主軸支部１０と第２の主軸支部１１とよりなる大蓋用軸支部７に、大蓋３の一端部に設けた一対の大蓋側被軸支部６を回動自在に軸支することで取付けるものである。すなわち、図２１に示すように、大蓋３を起立した状態で一対の大蓋側被軸支部６を構成する一対のＵ状溝部６ａの下方開口（突部１８の突出方向の開口）を第１の主軸支部１０を構成する軸部１７と第２の主軸支部１０を構成する軸部１７とに上方から被嵌することで大蓋用軸支部７に大蓋側被軸支部６を回動自在に軸支するものである。この場合、ストッパ用凸部６ｂを乗り越えて軸部１７にＵ状溝部６ａを被嵌するものであり、乗り越える際に弾性的に溝幅が広がったＵ状溝部６ａが弾性的に復元することでストッパ用凸部６ｂにより軸部１７からＵ状溝部６ａが抜けるのを防止している。もちろん、強い力で外すときは大蓋３を取り外すことが可能となるようにしてもよい。
【００１４】
また、図８乃至図１１には２枚の小蓋４を取付けた状態を示し、このように２枚の小蓋４を取付ける場合には、第１の主軸支部１０と第１の副軸支部１２の組みで構成される小蓋用軸支部９と、第２の主軸支部１１と第２の副軸支部１３の組みで構成される小蓋用軸支部９とに、２枚の小蓋４の一端部にそれぞれ設けた一対の小蓋側被軸支部８を着脱自在に軸支することで取付けるものである。すなわち、ここで一方の小蓋４を起立した状態で一対の小蓋側被軸支部８を構成する一対のＵ状溝部８ａの下方開口（突部２０の突出方向の開口）を第１の主軸支部１０を構成する軸部１７と第１の副軸支部１２を構成する軸部１７とに上方から被嵌することで一方の小蓋用軸支部９に一方の小蓋４の小蓋側被軸支部８を回動自在に軸支するものであり、また、他方の小蓋４を起立した状態で一対の小蓋側被軸支部８を構成する一対のＵ状溝部８ａの下方開口（突部２０の突出方向の開口）を第２の主軸支部１１を構成する軸部１７と第２の副軸支部１３を構成する軸部１７とに上方から被嵌することで他方の小蓋用軸支部９に他方の小蓋４の小蓋側被軸支部８を回動自在に軸支するものである。この場合、ストッパ用凸部８ｂを乗り越えて軸部１７にＵ状溝部８ａを被嵌するものであり、乗り越える際に弾性的に溝幅が広がったＵ状溝部８ａが弾性的に復元することでストッパ用凸部８ｂにより軸部１７からＵ状溝部８ａが抜けるのを防止している。もちろん、強い力で外すときは小蓋４を取り外すことが可能となるようにしてもよい。
【００１５】
なお、添付図面に示す実施形態では大蓋用軸支部７、小蓋用軸支部９を軸（図の例では軸部）により構成し、大蓋側被軸支部６、小蓋側軸支部８を軸受け（図の例ではＵ状溝部）により構成したが、大蓋用軸支部７、小蓋用軸支部９を軸受けとし、大蓋側被軸支部６、小蓋側軸支部８を軸としてもよいものである。
【００１６】
図１４に示すように、容器本体２の底面部には前後方向にわたって上方に凹設した凹所２２が設けてある。また、容器本体２の前面下端部には凹み６０が設けてあり、容器本体２の後面には背方に開口した操作杆配置用の縦長の凹部４０が上下方向にわたって設けてあり、上記凹所２２の前端開口が凹み６０の下部に連通すると共に凹所２２の後端開口が凹部４０の下部と連通している。
【００１７】
凹所２２の中央部には凹所２２の上底部より下方に向けて中央突部２３が設けてある。凹所２２の両内壁の中央突部２３を介して対向する部分に第１の主枢支部２４となる枢支孔と第２の主枢支部２５となる枢支孔とを設けてあり、この第１の主枢支部２４と第２の主枢支部２５とで後述の大蓋用回動部材３０の両側に設けた一対の被枢支部３１をシーソ回動自在に枢支できる大蓋用回動部材側枢支部２６を構成してある。
【００１８】
また、第１の主枢支部２４と対向する中央突部２３の側面に第１の副枢支部２７となる枢支孔を設けてあり、第２の主枢支部２５と対向する中央突部２３の側面に第２の副枢支部２８となる枢支孔を設けてある。ここで、第１の主枢支部２４と第１の副枢支部２７の組みおよび第２の主枢支部２５と第２の副枢支部２８の組みでそれぞれ後述の２つの小蓋用回動部材３２の両側に設けた被枢支部３３をそれぞれ独立してシーソ回動自在に枢支できる２組みの小蓋用回動部材側枢支部２９を構成してある。
【００１９】
大蓋用回動部材３０は図１８に示すようなもので、一端部（前端部）に大蓋用のペダル３４を取付けるようになっており、他端部（後端部）に接続用軸部３５が設けてあり、前後方向の中央部は横幅が広くなった幅広部３６となっていてこの幅広部３６の中央部に遊嵌用窓部３７が形成してあり、また、幅広部３６の両側には一対の被枢支部３１を構成する軸がそれぞれ突設してある。
【００２０】
一方、小蓋用回動部材３２は図１９に示すようなもので、一端部（前端部）に小蓋用のペダル３８を取付けるようになっており、他端部（後端部）に接続用軸部３９が設けてあり、前後方向の中央部の両側には一対の被枢支部３３を構成する軸がそれぞれ突設してある。
【００２１】
ここで、大蓋用回動部材３０を容器本体２の下面部において接地面よりも上方位置でシーソ回動自在に取付けるには以下のようにして行う。すなわち、図５に示すように、大蓋用回動部材３０の中央部に設けた遊嵌用窓部３７を下方から中央突部２３に遊嵌した状態で大蓋用回動部材３０を容器本体２の下面部の凹所２２に入れて大蓋用回動部材３０の両側の被枢支部３１をそれぞれ第１の主枢支部２４と第２の主枢支部２５とで構成される大蓋用回動部材側枢支部２６にシーソ回動自在に枢支することで取付けることができる。
【００２２】
また、２つの小蓋用回動部材３２を容器本体２の下面部において接地面よりも上方位置でそれぞれ独立してシーソ回動自在に取付けるには以下のようにして行う。すなわち、図１０に示すように、一方の小蓋用回動部材３２を凹所２２の一方の片側半部に入れて小蓋用回動部材３２の両側の被枢支部３３をそれぞれ第１の主枢支部２４と第１の副枢支部２７とで構成される小蓋用回動部材側枢支部２９にシーソ回動自在に枢支することで取付け、また、他方の小蓋用回動部材３２を凹所２２の他方の片側半部に入れて他方の小蓋用回動部材３２の両側の被枢支部３３をそれぞれ第２の主枢支部２５と第２の副枢支部２８とで構成される他の小蓋用回動部材側枢支部２９にシーソ回動自在に枢支することで取付けるものである。
【００２３】
上記のように、容器本体２の下面部に１つの大蓋３を開き操作するための１つの大蓋用回動部材３０と、２つの小蓋４をそれぞれ独立して開き操作するための２つの小蓋用回動部材３２とを選択的に取付けることができるものであって、共通の容器本体２を１つの大蓋３付きのごみ容器と、２つの小蓋４付きのごみ容器として兼用できるものである。また、上記のように大蓋用回動部材側枢支部２６を構成する第１の主枢支部２４、第２の主枢支部２５をそれぞれ小蓋用回動部材側枢支部２９の一構成部材として兼用化しているので、構造が簡略化できるものである。
【００２４】
なお、添付図面に示す実施形態では大蓋用回動部材側枢支部２６、小蓋用回動部材側枢支部２９を軸受け（図の例では孔）により構成し、被枢支部３１、被枢支部３３を軸により構成したが、大蓋用回動部材側枢支部２６、小蓋用回動部材側枢支部２９を軸とし、被枢支部３１、被枢支部３３を軸受けとしてもよいものである。
【００２５】
図１５に示すように、容器本体２の後面に設けた操作杆配置用の縦長の凹部４０の下端部は前述のように容器本体２の下面部に形成した凹所２２の後端開口と略直交して連通しており、また、凹部４０の上部部は前述の容器本体２の上部の開口部１の周囲のフランジ部１４の一辺に設けた挿通孔１５に連通している。
【００２６】
挿通孔１５は図１３に示すように、平面視でフランジ部１４の一辺に沿って細長くなっており、該細長孔の対向する長辺のうち一方の長辺の中央部に細長い挿通孔１５内に向けて中央ガイド突部４１が設けてある。ここで、中央ガイド突部４１の両側がそれぞれ第１主ガイド部４２、第２主ガイド部４３となり、この第１主ガイド部４２、第２主ガイド部４３で後述の大蓋用操作杆４４の両側に設けた被ガイド部４５をガイドするための大蓋用操作杆側ガイド部４６を構成している。また平面視で細長い挿通孔１５の対向する短辺はそれぞれ第１副ガイド部４７、第２副ガイド部４８となっており、対向する第１主ガイド部４２と第１副ガイド部４７の組みと対向する第２主ガイド部４３と第２副ガイド部４８の組みとで後述の２つの小蓋用操作杆４９の両側に設けた被ガイド部４５をガイドするための２組の小蓋用操作杆側ガイド部５０となっている。
【００２７】
添付図面に示す実施形態においては図２０に示すような共通の操作杆５１により大蓋用操作杆４４、小蓋用操作杆４９が構成してある。大蓋用操作杆４４、小蓋用操作杆４９となる共通の操作杆５１は断面コ字状をした縦長の杆であって、断面コ字状をした操作杆５１の両側部が被ガイド部４５となっており、また、操作杆５１の下端部に断面Ｃ字状をした連結部５２が設けてあり、操作杆５１の上端部に連結用孔部５３ａを有する押操作部５３が設けてある。
【００２８】
容器本体２に前述のように１枚の大蓋３を開閉自在に取付けた蓋付き容器を構成する場合には以下のようにして組み立てる。すなわち、前述のように容器本体２の大蓋用軸支部７に大蓋３の大蓋側被軸支部６を回動自在に軸支する。また、前述のように大蓋用回動部材３０をシーソ回動自在に取付け、更に、大蓋用操作杆４４として１つの操作杆５１を使用し、一つの操作杆５１を縦長の凹部４０の幅方向の中央部に配置し、操作杆５１の下端部の断面Ｃ字状の連結部５２を大蓋用回動部材３０の後端部の接続用軸部３５に回動自在に嵌め込み、操作杆５１の上端部の押操作部５３の連結用孔部５３ａに大蓋３の操作用腕部１９の先端部を挿入係止する。ここで、操作杆５１の上部は図７に示すように横長の挿通孔１５の中央部に挿通するものであり、この場合、断面コ字状をした操作杆５１のコ字状溝部５４を中央ガイド突部４１にスライド自在に被嵌すると共に断面コ字状をした操作杆５１の両側部の被ガイド部４５を中央ガイド突部４１の両側の第１主ガイド部４２、第２主ガイド部４３よりなる大蓋用操作杆側ガイド部４６に小隙間を介して対向させる。また、容器本体２に大蓋用回動部材３０をシーソ回動自在に取付けた状態で大蓋用回動部材３０の前端部のペダル３４の後部が容器本体２の前面下端部の凹み６０内に位置し且つ該ペダル３４の前部が凹み６０よりも前方に突出している。
【００２９】
しかして、図１のように大蓋３により容器本体２の開口部１を閉じている状態で、ペダル３４に足を載せて踏んでペダル３４を押し下げると、図２のように大蓋用回動部材３０が回動して大蓋用操作杆４４を構成する操作杆５１が上方に移動し、操作杆５１の上端部の押操作部５３により操作用腕部１９を上方に押し上げ、大蓋３が大蓋側被軸支部６の大蓋用軸支部７への軸支部分を中心に開くものであり、この状態で容器本体２内にごみを入れるものである。
【００３０】
また、ペダル３４から足を離すと、大蓋３の自重により大蓋３が逆方向に回動して容器本体２の開口部１を閉じ、また、大蓋用操作杆４４が大蓋３により下方に押し下げられて大蓋用回動部材３０を上記と逆方向にシーソ回動し、ペダル３４が前端側が上となるように初期位置に復帰する（図１）。
【００３１】
一方、容器本体２に前述のように２枚の小蓋４を開閉自在に取付けた蓋付き容器を構成する場合には以下のようにして組み立てる。すなわち、容器本体２内に仕切り６０を着脱自在に嵌め込んで容器本体２内を２つの収納部にわける。また、前述のように容器本体２の２組の小蓋用軸支部９にそれぞれ２つの小蓋４の小蓋側被軸支部８をそれぞれ回動自在に軸支する。また、前述のように２組みの小蓋用回動部材側枢支部２９にそれぞれ２つの小蓋用回動部材３２の被枢支部３３をそれぞれ独立してシーソ回動自在に枢支することで取付け、更に、小蓋用操作杆４９として２つの操作杆５１を使用し、２つの操作杆５１を縦長の凹部４０の幅方向の両側に配置し、操作杆５１の下端部の断面Ｃ字状の連結部５２を小蓋用回動部材３２の後端部の接続用軸部３９に回動自在に嵌め込み、操作杆５１の上端部の連結用孔部５３にそれぞれ小蓋４の操作用腕部１９の先端部を挿入係止する。ここで、図１２に示すように、各操作杆５１の上部は横長の挿通孔１５の両側部に挿通するものであり、この場合、一方の操作杆５１の両端部の被ガイド部４５がそれぞれ対向する第１主ガイド部４２と第１副ガイド部４７の組みで構成される小蓋用操作杆側ガイド部５０に上下スライド自在にガイドされるように嵌め込まれ、また、他方の操作杆５１の両端部の被ガイド部４５がそれぞれ対向する第２主ガイド部４３と第２副ガイド部４８の組みで構成される小蓋用操作杆側ガイド部５０に上下スライド自在にガイドされるように嵌め込まれる。また、容器本体２に２つの小蓋用回動部材３２をシーソ回動自在に取付けた状態で小蓋用回動部材３２の前端部のペダル３８の後部が容器本体２の前面下端部の凹み６０内に位置し且つ該２つのペダル３８の前部が凹み６０よりも前方に突出している。
【００３２】
しかして、２つの小蓋４により容器本体２の開口部１を閉じている状態で、一方のペダル３８に足を載せて踏んでペダル３４を押し下げると、一方の小蓋用回動部材３２が回動して小蓋用操作杆４９を構成する操作杆５１が上方に移動し、操作杆５１の上端部の連結用孔部５３の下の縁部により一方の小蓋４の操作用腕部１９を上方に押し上げ、一方の小蓋４が小蓋側被軸支部８の小蓋用軸支部９への軸支部分を中心に開くものであり、この状態で容器本体２内の２つに仕切った収納部の一方にごみを入れるものである。また、他方の小蓋４を開く場合には他方のペダル３８を足で踏むことで同様にして開くことができる。このようにして各々の小蓋４を独立して開いてごみを分別収納することができる。
【００３３】
もちろん２つのペダル３８を同時に踏んで押し下げると両方の小蓋４を開くことができるものである。
【００３４】
また、小蓋４を閉じるにはペダル３８から足を離すことで、小蓋４の自重により小蓋４が逆方向に回動して容器本体２の開口部１を閉じ、また、小蓋用操作杆４９が小蓋４により下方に押し下げられて小蓋用回動部材３２を上記と逆方向にシーソ回動し、ペダル３８が前端側が上となるように初期位置に復帰する（図１）。
【００３５】
ところで、上記実施形態においては挿通孔１５の一長辺の中央部から中央ガイド突部４１を突設し、中央ガイド突部４１の両側をそれぞれ第１主ガイド部４２、第２主ガイド部４３とし、断面コ字状をした大蓋用操作杆４４を中央ガイド突部４１にスライド自在に被嵌するように断面コ字状をした大蓋用操作杆４４の両端部の被ガイド部４５を中央ガイド突部４１の両側の第１主ガイド部４２、第２主ガイド部４３に小間隙を介して近接対向することで上下スライドのガイドを行うようにした例を示しているが、図２２に示すように、挿通孔１５の長辺の中央部の両側にそれぞれリブ５９を突設し、リブ５９をそれぞれ第１主ガイド部４２、第２主ガイド部４３とし、一対のリブ５９間に大蓋用操作杆４４をスライド自在に嵌め込んで大蓋用操作杆４４の両側の被ガイド部４５を一対のリブ５９よりなる第１主ガイド部４２、第２主ガイド部４３に小間隙を介して近接対向することで上下スライドのガイドを行うようにしてもよいものである。この場合、第１主ガイド部４２を構成する一方のリブ５９と挿通孔１５の一方の短辺側の第１副ガイド部４７の組みおよび第２主ガイド部４３を構成する他方のリブ５９と挿通孔１５の他方の短辺側の第２副ガイド部４８の組みとで２組の小蓋用操作杆側ガイド部５０が構成されるものであり、図２２の想像線のように２つの小蓋用操作杆４９を上下にスライド自在に嵌め込んでガイドするようにしてもよい。
【００３６】
また、いずれの実施形態においても、大蓋用操作杆４４及び小蓋用操作杆４９として共通の操作杆５１を用いた例を示したが、大蓋用操作杆４４と小蓋用操作杆４９とが別の形状のものであってもよい。
【００３７】
【発明の効果】
上記のように本発明の請求項１記載の発明にあっては、容器本体の上部の開口部の周囲にフランジ部を設け、このフランジ部の開口部の後部側の辺に沿った部位に該辺に沿って細長くなった上下に貫通する挿通孔を形成し、細長い挿通孔の上記開口部の後部側の辺に沿った対向する長辺のうち一方の長辺の中央部から細長い挿通孔内に向けて中央ガイド突部を設け、中央ガイド突部の両側をそれぞれ第１主ガイド部、第２主ガイド部として第１主ガイド部、第２主ガイド部により大蓋用操作杆の両側の被ガイド部を上下方向にガイドするための大蓋用操作杆側ガイド部を構成し、上記細長い挿通孔の対向する両短辺にそれぞれ第１副ガイド部、第２副ガイド部を設けて対向する上記第１主ガイド部と第１副ガイド部の組みと対向する上記第２主ガイド部と第２副ガイド部の組みとで２つの小蓋用操作杆の両側に設けた被ガイド部をガイドするための２組の小蓋用操作杆側ガイド部を構成するので、１つの大蓋用操作杆を上下方向にガイドするように取付けるには、挿通孔の中央部に１つの大蓋用操作杆を挿通して１つの大蓋用操作杆の両側に設けた被ガイド部を第１主ガイド部と第２主ガイド部とで構成する大蓋用操作杆側ガイド部によりガイドさせるようにし、また、２つの大蓋用操作杆を上下方向にガイドするように取付けるには、挿通孔の両側にそれぞれ１つずつ小蓋用操作杆を挿通して一方の小蓋用操作杆の両側に設けた被ガイド部を第１主ガイド部と第１副ガイド部とで構成する一方の小蓋用操作杆側ガイド部によりガイドさせるようにし、他方の小蓋用操作杆の両側に設けた被ガイド部を第２主ガイド部と第２副ガイド部とで構成する他方の小蓋用操作杆側ガイド部によりガイドさせるようにすればよいものであり、これにより簡単な構成で共通の容器本体に１つの大蓋用操作杆を上下方向にガイドできるように取付けたり、２つの小蓋用操作杆を上下方向にガイドできるように取付けたりというように、選択的に取付けることが可能となるものである。また、大蓋用操作杆ガイド部を構成する第１主ガイド部、第２主ガイド部をそれぞれ小蓋用操作杆ガイド部の一構成部材として兼用化できて構造が簡略化できるものである。
【００３８】
また、請求項２記載の発明にあっては、容器本体の上部の開口部の周囲にフランジ部を設け、このフランジ部の開口部の後部側の辺に沿った部位に該辺に沿って細長くなった上下に貫通する挿通孔を形成し、細長い挿通孔の上記開口部の後部側の辺に沿った対向する長辺のうち一方の長辺の中央部の両側にそれぞれリブを突設し、対向する一対のリブをそれぞれ第１主ガイド部、第２主ガイド部として第１主ガイド部、第２主ガイド部により大蓋用操作杆の両側の被ガイド部を上下方向にガイドするための大蓋用操作杆側ガイド部を構成し、上記細長い挿通孔の対向する両短辺にそれぞれ第１副ガイド部、第２副ガイド部を設けて対向する上記第１主ガイド部と一方のリブよりなる第１副ガイド部の組みと対向する上記第２主ガイド部と他方のリブよりなる第２副ガイド部の組みとで２つの小蓋用操作杆の両側に設けた被ガイド部をガイドするための２組の小蓋用操作杆側ガイド部を構成してあるので、１つの大蓋用操作杆を上下方向にガイドするように取付けるには、挿通孔の中央部の一対のリブ間に１つの大蓋用操作杆を挿通して１つの大蓋用操作杆の両側に設けた被ガイド部をリブよりなる第１主ガイド部と第２主ガイド部とで構成する大蓋用操作杆側ガイド部によりガイドさせるようにし、また、２つの大蓋用操作杆を上下方向にガイドするように取付けるには、挿通孔の両側にそれぞれ１つずつ小蓋用操作杆を挿通して一方の小蓋用操作杆の両側に設けた被ガイド部を第１主ガイド部と第１副ガイド部とで構成する一方の小蓋用操作杆側ガイド部によりガイドさせるようにし、他方の小蓋用操作杆の両側に設けた被ガイド部を第２主ガイド部と第２副ガイド部とで構成する他方の小蓋用操作杆側ガイド部によりガイドさせるようにすればよいものであり、これにより簡単な構成で共通の容器本体に１つの大蓋用操作杆を上下方向にガイドできるように取付けたり、２つの小蓋用操作杆を上下方向にガイドできるように取付けたりというように、選択的に取付けることが可能となるものである。また、大蓋用操作杆ガイド部を構成する第１主ガイド部、第２主ガイド部をそれぞれ小蓋用操作杆ガイド部の一構成部材として兼用化できて構造が簡略化できるものである。
【図面の簡単な説明】
【図１】本発明の蓋付きごみ容器において開口部を閉じた状態の断面図である。
【図２】同上の開口部を開いた状態の断面図である。
【図３】同上の１枚の大蓋を取付けた蓋付き容器の平面図である。
【図４】同上の１枚の大蓋を取付けた状態の正面図である。
【図５】同上の１つの大蓋用回動部材を取付けた状態の下面図である。
【図６】同上の１つの大蓋用操作杆を取付けた状態の背面図である。
【図７】同上の１つの大蓋用操作杆の挿通孔への挿通部分の断面図である。
【図８】同上の２枚の小蓋を取付けた蓋付き容器の平面図である。
【図９】同上の２枚の小蓋を取付けた状態の正面図である。
【図１０】同上の２つの小蓋用回動部材を取付けた状態の下面図である。
【図１１】同上の２つの小蓋用操作杆を取付けた状態の背面図である。
【図１２】同上の２つの小蓋用操作杆の挿通孔への挿通部分の断面図である。
【図１３】同上の容器本体の平面図である。
【図１４】同上の容器本体の下面図である。
【図１５】同上の容器本体の背面図である。
【図１６】同上の大蓋を示し、（ａ）は平面図であり、（ｂ）は下面図であり、（ｃ）は正面断面図であり、（ｄ）は（ｃ）のＸ1−Ｘ1線断面図であり、（ｅ）は（ｃ）のＸ2−Ｘ2線断面図である。
【図１７】同上の小蓋を示し、（ａ）は平面図であり、（ｂ）は下面図であり、（ｃ）は（ａ）のＹ1−Ｙ1線断面図であり、（ｄ）は（ａ）のＹ2−Ｙ2線断面図である。
【図１８】同上の大蓋用回動部材を示し、（ａ）は平面図であり、（ｂ）は側面図である。
【図１９】同上の小蓋用回動部材を示し、（ａ）は平面図であり、（ｂ）は側面図である。
【図２０】同上の操作杆を示し、（ａ）は正面図であり、（ｂ）は側面図であり、（ｃ）は断面図である。
【図２１】同上の大蓋（小蓋）を取付ける状態を示す説明図のための一部破断した斜視図である。
【図２２】同上の挿通孔の他の例を示す説明図である。
【符号の説明】
１  開口部
２  容器本体
３  大蓋
４  小蓋
５  ごみ容器
１４  フランジ部
１５  挿通孔
３４  ペダル
３８  ペダル
４２  第１主ガイド部
４３  第２主ガイド部
４４  大蓋用操作杆
４５  被ガイド部
４６  大蓋用操作杆側ガイド部
４７  第１副ガイド部
４８  第２副ガイド部
４９  小蓋用操作杆
５０  小蓋用操作側ガイド部
【図１】
0003967900.tif 000002
【図２】
0003967900.tif 000003
【図３】
0003967900.tif 000004
【図４】
0003967900.tif 000005
【図５】
0003967900.tif 000006
【図６】
0003967900.tif 000007
【図７】
0003967900.tif 000008
【図８】
0003967900.tif 000009
【図９】
0003967900.tif 000010
【図１０】
0003967900.tif 000011
【図１１】
0003967900.tif 000012
【図１２】
0003967900.tif 000013
【図１３】
0003967900.tif 000014
【図１４】
0003967900.tif 000015
【図１５】
0003967900.tif 000016
【図１６】
0003967900.tif 000017
【図１７】
0003967900.tif 000018
【図１８】
0003967900.tif 000019
【図１９】
0003967900.tif 000020
【図２０】
0003967900.tif 000021
【図２１】
0003967900.tif 000022
【図２２】
0003967900.tif 000023